(57)【要約】【課題】基地局間の干渉を削減し、セルサーチの性能改善を実現する。【解決手段】受信信号に基づいてセルサーチ処理を施し、セル検出結果を出力するセルサーチ部（７０）を備え、セル検出結果に対して、レプリカ信号を生成するレプリカ生成処理、および受信信号に基づいて生成されたデジタルベースバンド信号からレプリカ信号を減算する減算処理を施すことで、デジタルベースバンド信号を更新し、受信信号に含まれる干渉の除去処理を行う干渉除去部（５０、８０）と、減算処理後の信号に白色化処理を施すことで受信信号に含まれる干渉の圧縮処理を行う白色化部（６０）とをさらに備え、セルサーチ部は、除去処理後の信号に対して圧縮処理が施された信号について、セルサーチ処理を施すことを、あらかじめ決められた回数繰り返すことでセル検出結果を順次更新する。【選択図】図１
2014179692.tif 000002
【特許請求の範囲】
【請求項１】
受信信号に基づいてセルサーチ処理を施し、セル検出結果を出力するセルサーチ部を備えたセルサーチ装置であって、
前記セルサーチ部による前記セル検出結果に対して、レプリカ信号を生成するレプリカ生成処理、および前記受信信号に基づいて生成されたデジタルベースバンド信号から前記レプリカ信号を減算する減算処理を施すことで、前記デジタルベースバンド信号を更新し、前記受信信号に含まれる干渉の除去処理を行う干渉除去部と、
前記セルサーチ部の前段に設けられ、前記干渉除去部による前記減算処理後の信号に白色化処理を施すことで前記受信信号に含まれる干渉の圧縮処理を行う白色化部と
をさらに備え、
前記セルサーチ部は、前記干渉除去部による前記除去処理後の信号に対して前記白色化部による前記圧縮処理が施された信号について前記セルサーチ処理を施すことを、あらかじめ決められた回数繰り返すことで前記セル検出結果を順次更新する
セルサーチ装置。
【請求項２】
請求項１に記載のセルサーチ装置において、
前記受信信号に基づいて生成されたデジタルベースバンド信号を初期値として蓄積するとともに、前記干渉除去部による前記減算処理後の信号により前記デジタルベースバンド信号を順次更新して蓄積するバッファ部をさらに備え、
前記干渉除去部は、
前記セルサーチ部による前記セル検出結果に対して前記レプリカ生成処理を行い、前記レプリカ信号を生成するレプリカ生成部と、
前記レプリカ生成部により生成された前記レプリカ信号に対して、前記白色部による白色化処理の逆演算を施すことでキャンセル信号を生成する逆フィルタ部と、
前記バッファ部に蓄積された最新のデジタルベースバンド信号から前記逆フィルタ部で生成された前記キャンセル信号を減算することで前記減算処理を施すとともに、前記減算処理の結果に基づいて前記バッファ部に蓄積された前記デジタルベースバンド信号を順次更新する減算部と
を有するセルサーチ装置。
【請求項３】
請求項１に記載のセルサーチ装置において、
前記受信信号に基づいて生成されたデジタルベースバンド信号を初期値として蓄積するとともに、前記白色化部による前記白色化処理後の信号により前記デジタルベースバンド信号を順次更新して蓄積するバッファ部をさらに備え、
前記干渉除去部は、
前記セルサーチ部による前記セル検出結果に対して前記レプリカ生成処理を行い、前記レプリカ信号を生成するレプリカ生成部と、
前記バッファ部に蓄積された最新のデジタルベースバンド信号から前記レプリカ生成部により生成された前記レプリカ信号を減算することで前記減算処理を施す減算部と
を有し、
前記白色化部は、前記白色化処理の結果に基づいて前記バッファ部に蓄積された前記デジタルベースバンド信号を順次更新する
セルサーチ装置。
【請求項４】
請求項１に記載のセルサーチ装置において、
前記白色化部による前記白色化処理後のデジタルベースバンド信号を順次蓄積するバッファ部をさらに備え、
前記干渉除去部は、
前記セルサーチ部による前記セル検出結果に対して前記レプリカ生成処理を行い、前記レプリカ信号を生成するレプリカ生成部と、
前記受信信号に基づいて生成されたデジタルベースバンド信号を初期値として、前記バッファ部に蓄積された最新のデジタルベースバンド信号により順次更新される信号から、前記レプリカ生成部により生成された前記レプリカ信号を減算することで前記減算処理を施す減算部と
を有し、
前記セルサーチ部は、前記バッファ部に蓄積された、前記白色化部による前記白色化処理後の最新のデジタルベースバンドについて、前記セルサーチ処理を施すことを、あらかじめ決められた回数繰り返すことで前記セル検出結果を順次更新する
セルサーチ装置。
【請求項５】
受信信号に基づいてセルサーチ処理を施し、セル検出結果を出力するセルサーチ部と、
前記受信信号に含まれる干渉の除去処理を行う干渉除去部と、
前記受信信号に含まれる干渉の圧縮処理を行う白色化部と
を備えたセルサーチ装置に適用されるセルサーチ方法であって、
前記干渉除去部において、前記セル検出結果に対して、レプリカ信号を生成するレプリカ生成処理、および前記受信信号に基づいて生成されたデジタルベースバンド信号から前記レプリカ信号を減算する減算処理を施すことで、前記デジタルベースバンド信号を更新し、前記受信信号に含まれる干渉の除去処理を行う干渉除去ステップと、
前記白色化部において、前記セルサーチ処理の前処理として、前記干渉除去ステップによる前記減算処理後の信号に白色化処理を施すことで前記受信信号に含まれる干渉の圧縮処理を行う白色化ステップと、
前記セルサーチ部において、前記干渉除去ステップによる前記除去処理後の信号に対して前記白色化ステップによる前記圧縮処理を施した信号について前記セルサーチ処理を施すことで、前記セル検出結果を出力するセルサーチステップと、
前記干渉除去ステップ、前記白色化ステップ、および前記セルサーチステップによる一連の処理を、あらかじめ決められた回数繰り返すことで、前記セル検出結果を順次更新するサーチ結果更新ステップと
を備えるセルサーチ方法。
【発明の詳細な説明】
【技術分野】
【０００１】
本発明は、端末等において、接続するセルを選択するために周辺の基地局を探索するセルサーチ装置およびセルサーチ方法に関する。
【背景技術】
【０００２】
Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ：ワイドバンド符号分割多重アクセス）方式やＬＴＥ（Ｌｏｎｇ  Ｔｅｒｍ  Ｅｖｏｌｕｔｉｏｎ：ロングタームエボリューション）といったセルラーシステムにおいて、端末は、接続するセルを選択するために、周辺の基地局を探索するセルサーチを行う。
【０００３】
例えば、非特許文献１により送信波形が定義されるＷ−ＣＤＭＡ方式のセルサーチ方法が、従来から知られている（例えば、特許文献１参照）。また、非特許文献２により送信波形が定義されるＬＴＥのセルサーチ方法も、従来から知られている（例えば、特許文献２参照）。
【０００４】
セルサーチは、端末だけではなく、フェムトセル基地局やエリアアナライザといった計測機器においても行われる。フェムトセル基地局は、屋内など電波の届きにくい場所に設置され、サービスエリアを補完することができる。また、フェムトセル基地局は、セル半径が小さいことから、システム全体として面積当たりの通信容量を拡大することができる。
【０００５】
しかしながら、フェムトセル基地局は、数が多く、そのサービスエリアが個人の宅内になるなど、正確な伝搬環境を把握することができない。このため、事前の置局設計や置局後の調整を行うことは、コスト的に困難となる。
【０００６】
そこで、フェムトセル基地局は、自身に、周辺の基地局の情報を取得するセルサーチ機能を実装することで、Ｃｅｌｌ  ＩＤや使用する系列が周囲の基地局と衝突しないように決定し、さらに、周囲の状況から送信電力を決定している。また、計測機器において、Ｗ−ＣＤＭＡやＬＴＥの下り信号を分析する場合においても、分析対象のセルの信号を抽出するために、セルサーチが行われる。
【０００７】
周囲に複数の基地局がある場合には、セルサーチにおいても複数の基地局を検出する。しかしながら、基地局毎の信号が互いに干渉し合うため、セルサーチの性能が低下する。特に、受信レベルの大きな基地局がある場合には、受信レベルの低い基地局の検出が困難となる課題がある。
【０００８】
このようなセル間の干渉は、セルラーシステム全般の課題であり、その低減方法としては、干渉キャンセラが知られている（例えば、特許文献３参照）。この特許文献３は、他の基地局装置で使用されている通信周波数を同定することで、自局の基地局装置の通信チャネルに最適な通信周波数を割り当てる基地局装置を開示している。
【０００９】
この特許文献３で用いられる干渉キャンセラは、チャネル推定結果と逆拡散処理結果を元に、干渉成分を抑圧するための重み付け係数を算出し、算出した重み付け係数を受信信号に乗算している。そして、後段の復調部により、干渉キャンセラによる乗算結果から受信データを復調している。
【先行技術文献】
【特許文献】
【００１０】
【特許文献１】特開２００２−７７９８９号公報
【特許文献２】特開２００９−８９１８５号公報
【特許文献３】特開２００２−２１８５２８号公報
【非特許文献】
【００１１】
【非特許文献１】３ｒｄ  Ｇｅｎｅｒａｔｉｏｎ  Ｐａｒｔｎｅｒｓｈｉｐ  Ｐｒｏｊｅｃｔ、  ＴＳ  ２５．２１３、  Ｖ９．３．０  （２０１０−０９）
【非特許文献２】３ｒｄ  Ｇｅｎｅｒａｔｉｏｎ  Ｐａｒｔｎｅｒｓｈｉｐ  Ｐｒｏｊｅｃｔ、  ＴＳ  ３６．２１１、  Ｖ９．２．０  （２０１０−０９）
【発明の概要】
【発明が解決しようとする課題】
【００１２】
しかしながら、従来技術には、以下のような課題がある。
特許文献３に記載されているような干渉キャンセラは、セルサーチ後の復調時に動作するため、セルサーチの性能改善自体は、行うことができないという課題がある。
【００１３】
本発明は、前記のような課題を解決するためになされたものであり、基地局間の干渉を削減し、セルサーチの性能改善を実現するセルサーチ装置およびセルサーチ方法を得ることを目的とする。
【課題を解決するための手段】
【００１４】
本発明に係るセルサーチ装置は、受信信号に基づいてセルサーチ処理を施し、セル検出結果を出力するセルサーチ部を備えたセルサーチ装置であって、セルサーチ部によるセル検出結果に対して、レプリカ信号を生成するレプリカ生成処理、および受信信号に基づいて生成されたデジタルベースバンド信号からレプリカ信号を減算する減算処理を施すことで、デジタルベースバンド信号を更新し、受信信号に含まれる干渉の除去処理を行う干渉除去部と、セルサーチ部の前段に設けられ、干渉除去部による減算処理後の信号に白色化処理を施すことで受信信号に含まれる干渉の圧縮処理を行う白色化部とをさらに備え、セルサーチ部は、干渉除去部による除去処理後の信号に対して白色化部による圧縮処理が施された信号についてセルサーチ処理を施すことを、あらかじめ決められた回数繰り返すことでセル検出結果を順次更新するものである。
【００１５】
また、本発明に係るセルサーチ方法は、受信信号に基づいてセルサーチ処理を施し、セル検出結果を出力するセルサーチ部と、受信信号に含まれる干渉の除去処理を行う干渉除去部と、受信信号に含まれる干渉の圧縮処理を行う白色化部とを備えたセルサーチ装置に適用されるセルサーチ方法であって、干渉除去部において、セル検出結果に対して、レプリカ信号を生成するレプリカ生成処理、および受信信号に基づいて生成されたデジタルベースバンド信号からレプリカ信号を減算する減算処理を施すことで、デジタルベースバンド信号を更新し、受信信号に含まれる干渉の除去処理を行う干渉除去ステップと、白色化部において、セルサーチ処理の前処理として、干渉除去ステップによる減算処理後の信号に白色化処理を施すことで受信信号に含まれる干渉の圧縮処理を行う白色化ステップと、セルサーチ部において、干渉除去ステップによる除去処理後の信号に対して白色化ステップによる圧縮処理を施した信号についてセルサーチ処理を施すことで、セル検出結果を出力するセルサーチステップと、干渉除去ステップ、白色化ステップ、およびセルサーチステップによる一連の処理を、あらかじめ決められた回数繰り返すことで、セル検出結果を順次更新するサーチ結果更新ステップとを備えるものである。
【発明の効果】
【００１６】
本発明によれば、セルサーチ処理の前段では白色化処理により干渉を抑圧し、セルサーチ処理結果に対しては、セルサーチ結果に基づいてレプリカ生成処理および減算処理によりデジタルベースバンド信号を更新することで干渉を除去しながら、繰り返しセルサーチを実施することにより、基地局間の干渉を削減し、セルサーチの性能改善を実現するセルサーチ装置およびセルサーチ方法を得ることができる。
【図面の簡単な説明】
【００１７】
【図１】本発明の実施の形態１におけるセルサーチ装置の構成図である。
【図２】本発明の実施の形態２におけるセルサーチ装置の構成図である。
【図３】本発明の実施の形態３におけるセルサーチ装置の構成図である。
【発明を実施するための形態】
【００１８】
以下、本発明のセルサーチ装置およびセルサーチ方法の好適な実施の形態につき図面を用いて説明する。
【００１９】
実施の形態１．
図１は、本発明の実施の形態１におけるセルサーチ装置の構成図である。本実施の形態１におけるセルサーチ装置は、アンテナ１０、１１、ＲＦ（Ｒａｄｉｏ  Ｆｒｅｑｕｅｎｃｙ）部２０、２１、ＡＤＣ（ＡＤ変換部）３０、３１、バッファ部４０、減算部５０、白色化部６０、セルサーチ部７０、レプリカ生成部８０、および逆フィルタ部９０を備えて構成されている。
【００２０】
次に、このような構成を備えたセルサーチ装置による一連のセルサーチ処理について、ステップ１〜ステップ７の順に説明する。
【００２１】
ステップ１：受信処理
アンテナ１０、１１より受信したそれぞれの信号を、ＲＦ部２０、２１によりベースバンド信号に変換し、ＡＤＣ３０、３１によりデジタルベースバンドに変換して、バッファ部４０に蓄積する。
【００２２】
ステップ２：減算処理（干渉除去処理）
減算部５０は、バッファ部４０に蓄積されているデジタルベースバンド信号を読み出す。なお、セルサーチの繰り返し処理を行う際の最初の処理ステップにおいて、減算部５０に入力されるキャンセル信号（すなわち、キャンセル信号の初期値）は、０である。この場合、減算部５０は、バッファ部４０から読み出したデジタルベースバンド信号を、白色化部６０に対してそのまま出力することとなる。
【００２３】
一方、セルサーチの繰り返し処理を行う際の２回目以降の処理ステップにおいては、減算部５０には、逆フィルタ部９０により算出されたキャンセル信号が入力されている。この場合、減算部５０は、バッファ部４０から読み出したデジタルベースバンド信号から、キャンセル信号を減算し、その減算結果を白色化部６０に対して出力するとともに、バッファ部４０内に蓄積されたデジタルベースバンド信号を、この減算結果により更新する。
【００２４】
ステップ３：白色化処理（干渉圧縮処理）
白色化部６０は、減算部５０から読み込んだ減算結果に対して、干渉を抑圧する処理を行う。具体的には、白色化部６０は、時間軸の白色化、周波数軸の白色化、アンテナ間の白色化の３つの白色化処理機能を有している。
【００２５】
ここで、白色化部６０は、時間軸の白色化処理としては、ＡＧＣ（Ａｕｔｏ  Ｇａｉｎ  ｃｏｎｔｒｏｌ）と同様の処理を行い、アンテナ毎に入力信号の電力の平方根の逆数を乗算することで、電力の時間変動を抑えた信号を生成し、干渉を圧縮化する。
【００２６】
また、白色化部６０は、周波数軸の白色化処理としては、アンテナ毎の信号をフーリエ変換し、電力スペクトルの平方根の逆数を乗算し、逆フーリエ変換することで、そのスペクトルが一定となるような信号を生成し、干渉を圧縮化する。
【００２７】
また、白色化部６０は、アンテナ間の白色化としては、アンテナ間の共分散行列を求め、そのルートに相当するコレスキー分解結果の逆行列を乗算することで、干渉を圧縮化する。
【００２８】
なお、白色化部６０は、時間軸の白色化処理、周波数軸の白色化処理、アンテナ間の白色化処理の３つの白色化処理のいずれか１つを用いてもよく、複数の白色化処理を用いてもよい。そして、白色化部６０は、白色化された信号を、セルサーチ部７０に対して出力する。
【００２９】
ステップ４：セルサーチ処理
セルサーチ部７０は、従来技術と同様のセルサーチ処理を行い、セル検出結果を出力する。ここで、セル検出結果とは、受信信号に基づいて検出した基地局のコード情報、タイミング、受信レベル、伝送路情報、報知チャネルの復調結果等である。
【００３０】
セルサーチ部７０は、Ｗ−ＣＤＭＡのセルサーチ処理、あるいはＬＴＥのセルサーチ処理を行う。また、セルサーチ部７０は、複数のシステムが同じ周波数で運用されている場合には、それぞれのシステムのセルサーチ処理を行う。
【００３１】
セルサーチ部７０は、Ｗ−ＣＤＭＡのセルサーチ処理としては、以下の一連の処理を行う。
・ＰＳＣ（ｐｒｉｍａｒｙ  ｓｙｎｃｈｒｏｎｉｓａｔｉｏｎ  ｃｏｄｅ）を検出する。
・次に、ＳＳＣ（ｓｅｃｏｎｄａｒｙ  ｓｙｎｃｈｒｏｎｉｚａｔｉｏｎ  ｃｏｄｅｓ）を検出し、フレームタイミングとスクランブリングコードの候補を得る。
・次に、ＣＰＩＣＨ（Ｃｏｍｍｏｎ  Ｐｉｌｏｔ  Ｃｈａｎｎｅｌ）より、スクランブリングコードを同定する。
【００３２】
・その後、ＣＰＩＣＨより伝送路推定を行い、報知情報が伝送されるＰＣＣＰＣＨ（Ｐｒｉｍａｒｙ  Ｃｏｍｍｏｎ  Ｃｏｎｔｒｏｌ  Ｐｈｙｓｉｃａｌ  Ｃｈａｎｎｅｌ）を復調する。
・ＰＣＣＰＣＨは、たたみ込み符号で符号化されているため、ビタビデコードで復号して報知情報を得る。
【００３３】
また、セルサーチ部７０は、ＬＴＥのセルサーチ処理としては、以下の一連の処理を行う。
・ＰＳＳ（Ｐｒｉｍａｒｙ  ｓｙｎｃｈｒｏｎｉｚａｔｉｏｎ  ｓｉｇｎａｌ）を検出する。
・次に、ＳＳＳ（Ｓｅｃｏｎｄａｒｙ  ｓｙｎｃｈｒｏｎｉｚａｔｉｏｎ  ｓｉｇｎａｌ）を検出してフレームタイミングとＰＣＩ（Ｐｈｙｓｉｃａｌ  Ｃｅｌｌ  ＩＤ）を得る。
【００３４】
・その後、ＲＳ（Ｒｅｆｅｒｅｎｃｅ  ｓｉｇｎａｌ）より伝送路推定を行い、ＰＢＣＨ（Ｐｈｙｓｉｃａｌ  ｂｒｏａｄｃａｓｔ  ｃｈａｎｎｅｌ）を復調する。
・ＰＢＣＨは、たたみ込み符号で符号化されているため、ビタビデコードで復号し、報知情報（ＭＩＢ（Ｍａｓｔｅｒ  Ｉｎｆｏｒｍａｔｉｏｎ  Ｂｌｏｃｋ））を得る。
【００３５】
・さらに、ＰＣＦＩＣＨ（Ｐｈｙｓｉｃａｌ  ｃｏｎｔｒｏｌ  ｆｏｒｍａｔ  ｉｎｄｉｃａｔｏｒ  ｃｈａｎｎｅｌ）、ＰＤＣＣＨ（Ｐｈｙｓｉｃａｌ  ｄｏｗｎｌｉｎｋ  ｃｏｎｔｒｏｌ  ｃｈａｎｎｅｌ）、ＰＤＳＣＨ（Ｐｈｙｓｉｃａｌ  ｄｏｗｎｌｉｎｋ  ｓｈａｒｅｄ  ｃｈａｎｎｅｌ）を順次復調する。
【００３６】
・ＰＤＳＣＨは、ターボ符号化されているため、ＰＤＳＣＨの復調結果をターボデコードすることで報知情報（ＳＩＢ（Ｓｙｓｔｅｍ  Ｉｎｆｏｒｍａｔｉｏｎ  Ｂｌｏｃｋ））を得る。
【００３７】
ステップ５：レプリカ生成処理
レプリカ生成部８０は、セルサーチ部７０によるセル検出結果を入力する。そして、レプリカ生成部８０は、セル検出結果より基地局の送信信号を生成し、伝送路情報を乗算してレプリカ信号を生成し、逆フィルタ部９０に対して出力する。
【００３８】
具体的には、レプリカ生成部８０は、Ｗ−ＣＤＭＡのセルサーチ結果に対しては、Ｗ−ＣＤＭＡのレプリカ信号を生成し、ＬＴＥのセルサーチ結果に対しては、ＬＴＥのレプリカ信号を生成する。
【００３９】
ここで、レプリカ生成部８０は、ＣＰＩＣＨ、ＰＣＣＰＣＨ、ＰＳＳ、ＳＳＳを多重した信号にチャネル推定値乗算することで、Ｗ−ＣＤＭＡのレプリカ信号を得る。一方、レプリカ生成部８０は、ＲＳ、ＰＳＳ、ＳＳＳ、ＰＢＣＨ、ＰＣＦＩＣＨ、ＰＤＣＣＨ、ＰＤＳＣＨを多重した信号にチャネル推定値乗算することで、ＬＴＥのレプリカ信号を得る。
【００４０】
ステップ６：逆フィルタ処理
逆フィルタ部９０は、白色化部６０の逆フィルタであり、その出力をキャンセル信号として、減算部５０に対して出力する。具体的には、逆フィルタ部９０は、白色化部６０の逆の演算を行えばよく、白色化部６０で乗算した値の逆数を、レプリカ生成部８０で生成されたレプリカ信号に乗算する。
【００４１】
ステップ７：ステップ２〜６の繰り返し処理
本実施の形態１におけるセルサーチ処理では、ステップ３による白色化処理により干渉を抑圧し、ステップ５によるレプリカ生成処理およびステップ２とステップ６による減算処理により干渉を除去しながら、ステップ４のセルサーチ処理を繰り返し実行する。
【００４２】
ここで、繰り返し回数は、あらかじめ設定される。ただし、所望の基地局数が検出された場合には、その時点で繰り返し処理を打ち切り、一連のセルサーチ処理を終了とする。
【００４３】
以上のように、実施の形態１によれば、セルサーチ処理の前段では白色化処理による干渉抑圧化を行っている。さらに、セルサーチ処理結果に対しては、セル検出結果に基づいて、レプリカ生成処理および減算処理を施してデジタルベースバンド信号を更新することで、干渉を除去しながら、繰り返しセルサーチを実施している。この結果、基地局間の干渉を削減し、セルサーチの性能改善を実現するセルサーチ装置およびセルサーチ方法を得ることができる。
【００４４】
実施の形態２．
本実施の形態２では、先の実施の形態１とは異なる構成で、同様の効果を得ることのできるセルサーチ装置およびセルサーチ方法について説明する。
【００４５】
図２は、本発明の実施の形態２におけるセルサーチ装置の構成図である。本実施の形態２におけるセルサーチ装置は、アンテナ１０、１１、ＲＦ部２０、２１、ＡＤＣ３０、３１、バッファ部４０、減算部５０、白色化部６０、セルサーチ部７０、およびレプリカ生成部８０を備えて構成されている。
【００４６】
先の実施の形態１における図１の構成と比較すると、本実施の形態２における図２の構成は、次の２点が異なっている。
（相違点１）先の実施の形態１では、減算部５０による減算結果（すなわち、白色化処理前の信号）により、バッファ部４０内に蓄積されたデジタルベースバンド信号を更新していたのに対し、本実施の形態２では、白色化部６０による白色化処理後の信号により、バッファ部４０内に蓄積されたデジタルベースバンド信号を更新している。
（相違点２）相違点１に伴い、逆フィルタ部９０を不要としている。
【００４７】
以上のように、実施の形態２によれば、先の実施の形態１と同様に、セルサーチ処理の前段で白色化処理による干渉抑圧化を行っている。さらに、セル検出処理結果に対しても、先の実施の形態１と同様に、レプリカ生成処理および減算処理を施すことで干渉を除去しながら、繰り返しセルサーチを実施している。この結果、先の実施の形態１と同様の効果を得ることができる。さらに、白色化処理後の信号同士で減算処理を行う構成とすることにより逆フィルタ部を不要とすることで、演算量を削減する付加的な効果も得ることができる。
【００４８】
実施の形態３．
本実施の形態３では、先の実施の形態１、２とは異なる構成で、同様の効果を得ることのできるセルサーチ装置およびセルサーチ方法について説明する。
【００４９】
図３は、本発明の実施の形態３におけるセルサーチ装置の構成図である。本実施の形態３におけるセルサーチ装置は、アンテナ１０、１１、ＲＦ部２０、２１、ＡＤＣ３０、３１、バッファ部４０、減算部５０、白色化部６０、セルサーチ部７０、およびレプリカ生成部８０を備えて構成されている。
【００５０】
先の実施の形態２における図２の構成と比較すると、本実施の形態３における図３の構成は、次の１点が異なっている。
（相違点１）先の実施の形態２では、バッファ部４０、減算部５０、白色化部６０の順番で処理が行われていたのに対し、本実施の形態３では、減算部５０、白色化部６０、バッファ部４０の順番で処理が行われている。
【００５１】
以上のように、実施の形態３によれば、先の実施の形態２と同様に、セルサーチ処理の前段で白色化処理による干渉抑圧化を行っている。さらに、セル検出処理結果に対しても、先の実施の形態２と同様に、レプリカ生成処理および減算処理を施すことで干渉を除去しながら、繰り返しセルサーチを実施している。この結果、先の実施の形態２と同様の効果を得ることができる。さらに、バッファ部をセルサーチ部の直前に配置することで、セルサーチ部へのインターフェイスが容易になる付加的な効果も得ることができる。
【符号の説明】
【００５２】
１０、１１  アンテナ、２０、２１  ＲＦ部、３０、３１  ＡＤＣ、４０  バッファ部、５０  減算部、６０  白色化部、７０  セルサーチ部、８０  レプリカ生成部、９０  逆フィルタ部。
【図１】
2014179692.tif 000003
【図２】
2014179692.tif 000004
【図３】
2014179692.tif 000005